(57)【要約】【課題】テントを展張した際、作業者の手が届かないような高い位置にテント内部品を容易に且つ安全に取付け出来るようにする。【解決手段】テント内の高い位置に蛍光灯Ｌを吊下げるための懸吊構造１において、吊下げ高さ近傍の気柱Ｈに一対の紐通し環２を取付け、気柱Ｈの下方部の手が届く箇所に一対の紐ガイド環３を取付けるとともに、これら紐通し環２や紐ガイド環３に紐４をスライド自在に挿通させる。また紐通し環２を挿通した紐４の両側先端部にＤリング等の懸吊部５を設け、この懸吊部５を、作業者の手の届く高さ位置（例えば、床面から１５０ｃｍ位）に面ファスナ６ａ、６ｂにより着脱自在に固定する。蛍光灯Ｌを吊下げる際は、懸吊部５の着脱自在な固定部分を外し、懸吊部５に蛍光灯Ｌの係止具ｋを引掛けて、紐ガイド環３の中間の紐４を引張って紐４のバックル７ａ、７ｂを固定する。【選択図】      図２
2004278078.tif 000002
【特許請求の範囲】
【請求項１】
テント内の部品を所定の高さ位置に吊下げるための懸吊構造であって、展張されたテント内の部品の吊下げ位置近傍に設けられる紐通し環と、この紐通し環をスライド自在に挿通する紐と、前記紐通し環を挿通した紐の挿通先部分の一部に設けられる懸吊部を備え、この懸吊部または懸吊部周辺の紐の少なくとも一部は、テント内の床面から１８０ｃｍ以下の高さに着脱自在に固定されるとともに、前記紐通し環を挿通しない紐の基端側部分の少なくとも一部も、展張されたテント内の床面から１８０ｃｍ以下の高さに位置するようにされることを特徴とするテント内部品の懸吊構造。
【請求項２】
前記紐通し環は所定間隔離れた二ヶ所に設けられ、これら紐通し環を一本の紐がスライド自在に挿通するとともに、それぞれの紐通し環を挿通した紐の挿通先部分の先端部に各懸吊部が設けられ、各懸吊部が展張されたテント内の床面から１８０ｃｍ以下の高さに着脱自在に固定されるとともに、紐の中間部分の少なくとも一部が展張されたテント内の床面から１８０ｃｍ以下の高さに位置するようにされることを特徴とする請求項１に記載のテント内部品の懸吊構造。
【発明の詳細な説明】
【０００１】
【発明の属する技術分野】
本発明は、例えば金属骨格のテントやエアテントにおいて、大型テント内の手の届かない箇所等に、蛍光灯や照明器具や間仕切りカーテン等のテント内部品を吊下げ設置するための懸吊構造に関する。
【０００２】
【従来の技術】
従来、例えば災害時の救護活動や救難用や各種イベント等において大型のテントが構築される場合があり、このような大型のテント内に間仕切りカーテンを取付けたり、夜間でも活動できるよう、テント内の上部に蛍光灯や照明器具等をぶら下げたりすることがあり、このようなテント内部品を吊下げる位置が作業者の手の届かない高さ位置である場合は、脚立等を利用して取り付けるのが一般的である。
なお、この際、このような場合の取付け技術に関する格別な先行技術は見当たらない。
【０００３】
【発明が解決しようとする課題】
ところが、脚立等を利用してテント内部品を取り付ける場合、地面等が平らな場所でないと安定した状態になりにくく、また、安全上、脚立等を支えておく人が必要となって人手がかかるとともに、取り付け作業に手間がかかるという問題がある。
【０００４】
そこで本発明は、テントを展張した際、作業者の手が届かないような高い位置にテント内部品を取付ける作業を楽に行えるようにし、また一人でも安全に取り付けることができるようにすることを目的とする。
【０００５】
【課題を解決するための手段】
上記目的を達成するため本発明は、テント内の部品を所定の高さ位置に吊下げるための懸吊構造において、展張されたテント内の部品の吊下げ位置近傍に紐通し環を設け、この紐通し環に紐をスライド自在に挿通させるとともに、紐通し環を挿通した紐の挿通先部分の一部に懸吊部を設け、この懸吊部または懸吊部周辺の紐の少なくとも一部を展張されたテント内の床面から１８０ｃｍ以下の高さに着脱自在に固定するようにした。また、紐通し環を挿通しない紐の基端側部分の少なくとも一部も、展張されたテント内の床面から１８０ｃｍ以下の高さに位置させるようにした。
【０００６】
そしてテントを展張した後、紐の挿通先部分の懸吊部周辺等の着脱自在な固定部分を外し、この懸吊部に部品を取付けた後、紐通し環を挿通しない基端側部分の紐を手で引っ張ることにより、部品を所定の高さ位置に持ち上げて吊下げた状態にし、紐を任意の箇所に固定する。
この際、懸吊部周辺等の着脱自在な固定部分や、紐通し環を挿通しない紐の基端側部分の一部は、テント内の床面から１８０ｃｍ以下の高さに設けられているので、懸吊部周辺等の着脱自在な固定部分を外す作業や、懸吊部に部品を取り付ける作業や、紐の一部を引張る作業はいずれも作業者の手の届く高さであり、一人でも簡単に且つ安全に作業出来る。
【０００７】
ここで、懸吊部周辺等を着脱自在に固定しておくのは、折り畳んだテントを展張する際、テントの金属製骨組みを組み立てたり、エアテントの気柱に空気を入れるような作業等において、紐がぶらぶらの状態であると作業性が悪く、また紐が周辺の部材等に引っ掛かって邪魔になったり、特にエアテントの場合には、気柱に空気を入れることにより、紐に張力がかかり、紐通し環から紐が外れてしまうことがあるため、懸吊部周辺を確実に気柱や他の部分に着脱自在に固定しておく必要がある。
【０００８】
また本発明では、前記紐通し環を、所定間隔離れた二ヶ所に設け、これら紐通し環を通して、一本の紐をスライド自在にするとともに、それぞれの紐通し環を挿通した紐の挿通先部分の先端部に各懸吊部を設け、各懸吊部を展張されたテント内の床面から１８０ｃｍ以下の高さに着脱自在に固定するとともに、紐の中間部分の少なくとも一部を、展張されたテント内の床面から１８０ｃｍ以下の高さに位置させるようにした。
【０００９】
そしてテントを展張した後、紐の挿通先部分の懸吊部の着脱自在な固定部分を外し、この懸吊部に例えば部品を取付けた後、紐の中間部を手で引っ張ることにより、部品を所定の高さ位置に持ち上げて吊下げた状態にし、紐を任意の箇所に固定する。
このように紐通し環を二ヶ所に設け、紐の両端に懸吊部を設けるようにすれば、例えば長尺状の部品の両端を吊り下げるのに便利となり、蛍光灯のような部品を略水平姿勢で吊下げることが出来る。
【００１０】
【発明の実施の形態】
本発明の実施の形態について添付した図面に基づき説明する。
ここで図１は本発明の懸吊構造の一例を示す説明図、図２は同懸吊構造の作用等を示す説明図、図３は懸吊部を着脱自在に固定する構造の一例図、図４は懸吊構造の他の構成例図である。
【００１１】
本発明に係るテント内部品の懸吊構造は、例えば大型のテントを展張した際、作業者の手が届かないような高い位置に、例えば蛍光灯や照明器具や間仕切りカーテン等のテント内部品を楽に取付けることが出来るようにされ、また一人でも安全に取り付けることができるようにされている。
【００１２】
すなわち、図１に示すように、例えば救難用または各種イベント等で用いられる大型のテントとして、骨格を気柱Ｈとし、通常時は気柱Ｈの空気を抜いて折り畳んでおき、展張時に気柱Ｈ内に空気を入れて膨張させた後、天幕を被せるようなテントが知られており、本実施例では、このようなタイプのテントの高い箇所にテント内部品を簡単に且つ安全に取り付けることが出来るようにされている。そこで、まず、テント内部品として蛍光灯Ｌを取付ける場合を例にとって説明する。
【００１３】
蛍光灯Ｌを吊下げるための懸吊構造１は、図１乃至図２に示すように、蛍光灯Ｌ（図２）の吊下げ高さ近傍の気柱Ｈに取付けられる左右一対の紐通し環２と、気柱Ｈの下方部に取付けられる左右一対の紐ガイド環３と、これら紐通し環２や紐ガイド環３をスライド自在に挿通する一本の紐４を備えており、前記紐通し環２を挿通した紐４の両側先端部には、Ｄリング等の懸吊部５が設けられるとともに、この懸吊部５は、図３（ａ）に示すように、床面から１５０ｃｍの位置に面ファスナ６ａ、６ｂ等により着脱自在に固定されている。また、前記左右一対の紐ガイド環３も、床面から１５０ｃｍの位置に設けられている。
【００１４】
また、左右の紐ガイド環３の間の紐４部分には、係脱自在な一対のバックル７ａ、７ｂを所定の間隔で設けており、通常時はバックル７ａ、７ｂを外している。
尚、このバックル７ａ、７ｂの間隔は、後述する要領で左右の紐ガイド環３の間の紐４を引張って蛍光灯Ｌを所定の高さに持ち上げた際、弛んだ紐４の長さを吸収出来るような間隔にしている。
【００１５】
一方、蛍光灯Ｌは、インバータを内蔵した防雨型タイプであり、バッテリー等の直流電源を使用出来るようにされるとともに、両端部に、前記懸吊部５に吊下げ可能な係止具ｋを備えている。
【００１６】
以上のような懸吊構造１において、気柱Ｈに空気を入れてテントを展張した後、作業者は図２（ａ）に示すように懸吊部５の着脱自在な固定部分を外す。すなわち、図３（ｂ）に示すように、面ファスナ６ａ、６ｂを外し、懸吊部５をフリーな状態にする。
尚、この場合は、バックル７ａ、７ｂの連結は解かれている。
【００１７】
次いで、図２（ｂ）に示すように、両側の懸吊部５にそれぞれの係止具ｋを引掛け、蛍光灯Ｌを水平姿勢で吊下げた状態にした後、作業者は紐ガイド環３の間の紐４の略中央部を引張ることにより、蛍光灯Ｌを所定の吊下げ高さに持ち上げ、水平姿勢を維持するよう調整する。そして、図２（ｃ）に示すように、紐ガイド環３の間の紐４のバックル７ａ、７ｂを連結することにより紐４の弛みを無くすとともに紐４を固定すれば、蛍光灯Ｌは所定の吊下げ位置に設置される。
【００１８】
以上のような作業において、作業者のすべての作業は手の届く範囲内の作業であり、簡単であるとともに、危険を伴わない。
また、テントを畳む際は、以上の逆手順により蛍光灯Ｌを下方に下ろして取り外した後、各懸吊部５を面ファスナ６ａ、６ｂで着脱自在に固定し、気柱Ｈの空気を抜くだけで作業が完了する。
【００１９】
尚、以上の実施例では、紐通し環２を挿通した紐４の先端部に懸吊部５を設けるようにしているが、この懸吊部５は必ずしも紐４の先端部である必要はなく、挿通した紐４の中間部分であっても良い。
そこで、図４に基づき、本発明の懸吊構造を間仕切りカーテンＣの吊下げに適用した構成例について説明する。
【００２０】
この実施例では、作業者の手が届かない二ヶ所の吊下げ箇所に本発明の懸吊構造１を採用しており、吊下げ箇所近傍の気柱Ｈに取付けられる二ヶ所の紐通し環２と、手が届く高さ位置の気柱Ｈに取り付けられる左右一対の紐ガイド環３と、これら紐通し環２や紐ガイド環３をスライド自在に挿通する紐４を備えており、この紐４の両端部を例えば紐ガイド環３に固定するとともに、前記紐通し環２を挿通した紐４の中間部に一対の懸吊部５を設け、紐通し環２を挿通した紐４の中間部を、平素は略中央部を横に引張って、作業者の手が届く高さ位置に着脱自在に固定するようにしている。
【００２１】
この着脱自在な固定部の位置や手段は任意であり、例えば気柱Ｈに着脱自在に固定するようにしても良く、紐４に着脱自在に固定するようにしても良い。また、着脱自在にするための手段としては、面ファスナや引掛け部やその他の任意の手段を使用することが出来る。
【００２２】
以上のような懸吊構造１において、間仕切りカーテンＣを取り付ける際は、図４（ａ）に示すように、作業者は紐通し環２を挿通した紐４の中間部の着脱自在な固定部分を外し、図４（ｂ）に示すように、懸吊部５に間仕切りカーテンＣの係止具ｋを引掛けた後、両サイドの紐ガイド環３近傍の紐４を下方に引張ることにより、間仕切りカーテンＣの二ヶ所を吊り上げる。
そして、紐４の端部をそれぞれ下方の気柱Ｈの留付け具８に固定するとともに、間仕切りカーテンＣのその他の周縁部を気柱Ｈの所定箇所に留め付けることにより、図４（ｃ）に示すように間仕切りカーテンＣが取り付けられる。
【００２３】
以上のような実施例においても、作業者の行うすべての作業が手の届く範囲であり、簡単な作業であるとともに、危険を伴わない。
尚、テントを畳む際は、以上の逆手順により蛍光灯Ｌを下方に下ろして取り外した後、紐４の中間部を横に引張って固定し、気柱Ｈの空気を抜くだけで作業が完了する。
【００２４】
尚、本発明は以上のような実施形態に限定されるものではない。本発明の特許請求の範囲に記載した事項と実質的に同一の構成を有し、同一の作用効果を奏するものは本発明の技術的範囲に属する。
例えばテント内吊り下げ部品として蛍光灯Ｌや間仕切りカーテンＣは一例であり、その他の部品でも良い。また、懸吊構造１の具体的形態や懸吊部５の構成等は例示である。
更に、テントのタイプも気柱式に限られるものではない。
【００２５】
【発明の効果】
以上のように本発明に係る懸吊構造は、部品の吊下げ位置近傍に紐通し環を設け、この紐通し環に紐をスライド自在に挿通させるとともに、紐通し環を挿通した紐の挿通先部分の一部に懸吊部を設け、この懸吊部または懸吊部周辺の紐の少なくとも一部を展張されたテント内の床面から１８０ｃｍ以下の高さに着脱自在に固定し、また、紐通し環を挿通しない紐の基端側部分の少なくとも一部も、展張されたテント内の床面から１８０ｃｍ以下の高さに位置させるようにしたため、作業者の手の届く範囲内の作業で、部品を所定の高さ位置に持ち上げて吊下げた状態に固定出来る。
そしてこのような作業は一人でも簡単に行うことが出来、また安全である。
また、紐通し環を、所定間隔離れた二ヶ所に設け、これら紐通し環を通して、一本の紐をスライド自在にするとともに、それぞれの紐通し環を挿通した紐の挿通先部分の先端部に各懸吊部を設け、各懸吊部を展張されたテント内の床面から１８０ｃｍ以下の高さに着脱自在に固定するとともに、紐の中間部分の少なくとも一部を、展張されたテント内の床面から１８０ｃｍ以下の高さに位置させるようにすれば、例えば長尺状の部品の両端を吊り下げて水平姿勢で設置するのに便利である。
【図面の簡単な説明】
【図１】本発明の懸吊構造の一例を示す説明図
【図２】同懸吊構造の作用等を示す説明図
【図３】懸吊部を着脱自在に固定する構造の一例図
【図４】懸吊構造の他の構成例図
【符号の説明】
１…懸吊構造、２…紐通し環、４…紐、５…懸吊部、６…面ファスナ、Ｌ…蛍光灯、Ｃ…間仕切りカーテン。
【図１】
2004278078.tif 000003
【図２】
2004278078.tif 000004
【図３】
2004278078.tif 000005
【図４】
2004278078.tif 000006